(57)【要約】【課題】広範囲への送風に使用される扇風機において、３次元的に異なる２方向へ同時に送風することを目的とする。【解決手段】スタンド２と、このスタンドの上部に設けた羽根車３と、この羽根車の外周に備えた風向変更手段５とから構成し、前記羽根車は、水平方向へ３６０度送風可能であり、前記風向変更手段は、水平方向へ送風される風と、下方向へ送風される風に分けるという構成にしたことにより、３６０度水平方向へ向かう風は顔や上半身に届き、３６０度下方向へ向かう風は足元や床上に寝ている人に届き、顔や上半身などと足元といった広範囲に同時に風を送ることを可能にした扇風機を得られる。【選択図】図１
2013127216.tif 000002
【特許請求の範囲】
【請求項１】
スタンドと、このスタンドの上部に設けた羽根車と、この羽根車の外周に備えた風向変更手段とから構成し、前記羽根車は、水平方向へ３６０度送風可能であり、前記風向変更手段は、水平方向へ送風される風と、下方向へ送風される風に分けることを特長とする扇風機。
【請求項２】
前記風向変更手段は、垂直方向に開口した筒状で、側面の断面が前記羽根車の外方へ凸形状の曲面であることを特徴とする請求項１に記載の扇風機。
【請求項３】
前記風向変更手段は、水平方向と下方向への送風の風量比率を変更する風量比率変更手段を有することを特徴とする請求項１または２に記載の扇風機。
【請求項４】
前記風量比率変更手段は、前記風向変更手段の位置を変えることで風量比率を変えることを特徴とする請求項３に記載の扇風機。
【請求項５】
前記スタンドには、風向ガイド手段を設け、この風向ガイド手段は、前記風向変更手段によって下方向へ送風された風が、前記羽根車によって水平方向へ３６０度送風される風よりも低い位置で水平方向へ３６０度送風すること特徴とする請求項１から４のいずれかに記載の扇風機。
【請求項６】
前記風向ガイド手段は、略円錐形状で、側周面は、前記スタンドの内方へ凹形状の曲面であることを特徴とする請求項５に記載の扇風機。
【発明の詳細な説明】
【技術分野】
【０００１】
本発明は、広範囲へ送風を行う扇風機に関するものである。
【背景技術】
【０００２】
従来、この種の扇風機は、遠心方向へ３６０度送風を行うものが知られている（例えば、特許文献１参照）。
【０００３】
以下、その扇風機について図６を参照しながら説明する。
【０００４】
図６に示すように、扇風機１０１は垂直方向に設けられた回転軸を有するモータ（図示せず）と、モータの回転軸に取り付けられたファン１０２を有し、モータの回転に伴いファン１０２が回転することにより３６０度の方向に送風をしている。
【０００５】
また、この種の扇風機には、３次元的に３６０度の全方向へ同時に送風しているものもある（例えば、特許文献２参照）。
【０００６】
以下、その扇風機について図７を参照しながら説明する。
【０００７】
図に示すように、扇風機１０３の枠１０４は、内部に電動式ガイドレール１０５を有しており、プロペラ軸１０６は電動式ガイドレール１０５に沿って移動する構成としているため、３６０度方向へ３次元的に送風をしている。
【先行技術文献】
【特許文献】
【０００８】
【特許文献１】特開２００６−６３９４８号公報
【特許文献２】実用新案登録第３１４７６４３号公報
【発明の概要】
【発明が解決しようとする課題】
【０００９】
このような従来の扇風機においては、ファンから出る風は、風向を調整されることなくファンからまっすぐに広がる構成となっていたので垂直方向への広がりが小さく、顔や上半身などと、足元といった、３次元的に異なる２方向へ同時に送風することができないという課題を有していた。
【００１０】
そこで本発明は、上記従来の課題を解決するものであり、３次元的に異なる２方向へ同時に送風することができる気流を生じさせる扇風機を提供することを目的とする。
【課題を解決するための手段】
【００１１】
そして、この目的を達成するために、本発明は、スタンドと、このスタンドの上部に設けた羽根車と、この羽根車の外周に備えた風向変更手段とから構成し、前記羽根車は、水平方向へ３６０度送風可能であり、前記風向変更手段は、水平方向へ送風される風と、下方向へ送風される風に分けることを特長としたものであり、これにより所期の目的を達成するものである。
【発明の効果】
【００１２】
本発明によれば、スタンドと、このスタンドの上部に設けた羽根車と、この羽根車の外周に備えた風向変更手段とから構成し、前記羽根車は、水平方向へ３６０度送風可能であり、前記風向変更手段は、水平方向へ送風される風と、下方向へ送風される風に分けることを特長としたものであり、３次元的に異なる２方向へ同時に送風することができるものである。
【００１３】
すなわち、羽根車の外周に備えた風向変更手段によって、羽根車から出る風が、風向変更手段によって３６０度水平方向へ向かう風と３６０度下方向へ向かう風に分かれるので、３６０度水平方向へ向かう風は顔や上半身に届き、３６０度下方向へ向かう風は足元や床上に寝ている人に届き、顔や上半身などと足元といった広範囲に同時に風を送ることが可能となる。
【図面の簡単な説明】
【００１４】
【図１】本発明の実施の形態１の扇風機の斜視図
【図２】同扇風機のガード部を外した状態の概略図
【図３】同扇風機のガード部と風向変更手段の上部を外した状態の概略図
【図４】同扇風機の風の流れを示した概念図
【図５】同扇風機の風向変更手段を下げた状態の斜視図
【図６】従来の扇風機の全体像を示す斜視図
【図７】従来の扇風機の全体像を示す概念図
【発明を実施するための形態】
【００１５】
本発明の請求項１記載の扇風機は、スタンドと、このスタンドの上部に設けた羽根車と、この羽根車の外周に備えた風向変更手段とから構成し、前記羽根車は、水平方向へ３６０度送風可能であり、前記風向変更手段は、水平方向へ送風される風と、下方向へ送風される風に分けるという構成を有する。これにより、羽根車の外周に備えた風向変更手段によって、羽根車から出る風が、３６０度水平方向へ向かう風と３６０度下方向へ向かう風に分かれるようになるので、３６０度水平方向へ向かう風は顔や上半身に届き、３６０度下方向へ向かう風は足元や床上に寝ている人に届き、顔や上半身などと足元といった広範囲に同時に風を送ることが可能となるという効果を奏する。
【００１６】
また、前記風向変更手段は、垂直方向に開口した筒状で、側面の断面が前記羽根車の外方へ凸形状の曲面である構成にしてもよい。これにより、羽根車から出る風のうち、一部を風向変更手段が捉え、断面が円弧形状をした風向変更手段に沿ってなだらかに下方向へ風を曲げるので、下方向へ向かう風は、曲線を描いた風向変更手段に沿って曲げられ、直線的な風向変更手段に比べ下方向への吹き出し角度が急な風となるという効果を奏する。
【００１７】
また、前記扇風機は、水平方向と下方向への送風の風量比率を変更する風量比率変更手段を有する構成にしてもよい。これにより、２方向への送風風量の比率が変わるので、利用者の好みや状態に応じて風を選べるという効果を奏する。
【００１８】
また、前記風量比率変更手段は、前記風向変更手段の位置を変える事で風量比率を変えるという構成にしてもよい。これにより、風向変更手段が羽根車からの水平方向への送風に対し、位置を移動することで羽根車から出る風を受ける量が変わるので、風向変更手段が風を受ける量に応じて下方向への送風量が変化するという効果を奏する。
【００１９】
また、前記スタンドには、風向ガイド手段を設け、この風向ガイド手段は、前記風向変更手段によって下方向へ送風された風が、前記羽根車によって水平方向へ３６０度送風される風よりも低い位置で水平方向へ３６０度送風するにしてもよい。これにより、下方向へ出た風が風向ガイド手段によって曲がり、扇風機から離れ出るので、下方向へ出る風が風向ガイド手段の位置で水平方向へ３６０度送風されるという効果を奏する。
【００２０】
また、前記風向ガイド手段は、略円錐形状で、側周面は、前記スタンドの内方へ凹形状の曲面であるという構成にしてもよい。これにより、下方向へ吹き出した風が、略円錐形状で側周面がスタンドの内側に凹形状の曲線を描く風向ガイド手段に沿って本体スタンドから剥がれず沿うように流れ、スタンドの形状により下の方では水平方向へ流れるので、下方向へ出た風が、側周面が直線的な風向ガイドに比べより水平に近い角度で送風することが可能となり、足元を這うような気流が生じるという効果を奏する。
【００２１】
以下、本発明の実施の形態について図面を参照しながら説明する。
【００２２】
（実施の形態１）
図１、２に示すように、本実施形態の扇風機１は、床面に設置されるスタンド２と、スタンドの上部に設けられた電動機（図示せず）と、この電動機の回転軸（図示せず）に固定された羽根車３と、羽根車の外周に設けたガード部４と、このガード部の下方に設けた風向変更手段５から構成している。
【００２３】
スタンド２は、垂直方向に伸びた略円筒形状であり、下面の面積は、上面の面積より大きいものである。このスタンド２の下部には、操作部６を備えている。スタンド２内の上部には、電動機を備え、この電動機の上面から垂直上方へ回転軸が伸びている。この回転軸に、羽根車３が固定されている。
【００２４】
羽根車３は、図３に示すように、ターボファンで、円板形状の主板１３と、この主板１３の周縁部から上方へ伸びた複数の翼部１４と、この翼部１４の上端を連結する環形状のリング部１５とから構成している。このように遠心ファンを用いることで、水平方向へ３６０度の送風が可能となる。なお、羽根車３は、ターボファンに限らず遠心ファンであればよい。
【００２５】
ガード部４は、図１に示すように、羽根車３の上面と側周面とを覆うものであり、下方が開口した球面形状である。ガード部４は、金網で作られ、この金網の目の大きさは、子供の指が入らない大きさである。風向変更手段５の外側には、水平方向に一周入ったスリット１２を設け、このスリット１２は、下方向へ凹んだ窪みである（図４参照）。ガード部４は、このスリット１２に差し込み、ねじ止めをすることで風向変更手段５に固定される。
【００２６】
本実施形態における特徴は、風向変更手段５である。この風向変更手段５は、水平方向へ送風される風と、下方向へ送風される風に分けることを特長としたものであり、３次元的に異なる２方向へ同時に送風することができるものである。
【００２７】
すなわち、羽根車３の外周に備えた風向変更手段５によって、羽根車から出る風が３６０度水平方向へ向かう風と、３６０度下方向へ向かう風とに分かれるので、３６０度水平方向へ向かう風は顔や上半身に届き、３６０度下方向へ向かう風は足元や床上に寝ている人に届き、顔や上半身などと足元といった広範囲に同時に風を送ることが可能となる。
【００２８】
具体的には、風向変更手段５は、図４に示すように、垂直方向に連通した風路を有した略筒形状で、上部にはふくらみである膨張部１６を有し、中央部にはしぼんだ絞り部１７を備え、下部には筒形状であるストレート部１８を設けている。これら膨張部１６、絞り部１７、およびストレート部１８とが連続して連なっているものである。つまり、風向変更手段５の風路の水平断面積は、まず、上端開口１９から膨張部１６の中央部までは、下るに従って徐々に大きくなる。次に、膨張部１６の中央部から絞り部１７の下端までは、下るに従って徐々に小さくなる。最後に、絞り部１７の下端からストレート部１８の下端開口２０までは、一定の面積である。上端開口１９の水平断面積は、下端開口２０の水平断面積より大きいものである。
【００２９】
風向変更手段５の上端は、羽根車３の上端より下方で、羽根車の下端より上方に位置するものである。風向変更手段５の下端は、スタンド２の上端より下方に位置するものである。
【００３０】
このような構成にすれば、まず、電動機によって羽根車３が回転すると、羽根車の上方からガード部４を介して、空気が羽根車３に吸い込まれる。次に、この吸い込まれた空気が、羽根車３によって、水平方向へ送風される。この水平方向へ送風される空気の一部は、風向変更手段５の膨張部１６にあたり、下方向へ向く風に分かれ、主に膨張部１６、絞り部１７、およびストレート部１８の内面に沿って、風向変更手段５とスタンド２との間を介して、下方向へ送風される。これによって、同時に広範囲へ送風することができる。
【００３１】
また、水平方向と下方向への送風の風量比率を変更する風量比率変更手段を備えている。この風量比率変更手段は、風向変更手段５の位置を変える事で風量比率を変えるものである。具体的には、風量比率変更手段は、風向変更手段５を上下に移動できると共に、スタンド２に固定できる構成である。
【００３２】
風量比率変更手段は、図３に示すように、風向変更手段５の下部から内方へ伸びた支持部７と、この支持部をスタンド２に沿って上下に移動可能であると共に、固定可能である移動固定部８とから構成している。
【００３３】
支持部７は、風向変更手段５のストレート部１８の内面から移動固定部８へ伸びた複数の平板形状である。この支持部７は、風向変更手段のぐらつきを防止するために高さ方向に幅を持つものとする。支持部７をこのような形状にすることで、指が風向変更手段５の内部に入ることを防止するガードの役目を兼ねる。
【００３４】
移動固定部８は、円筒形状で、下部にねじ穴が開いている。スタンド２の上部には、垂直方向に掘られた溝９を備えている。この溝９に沿って、移動固定部８のねじ穴にねじ止めすることで固定ができる構成である。この移動固定部８を上下に移動させることで、風向変更手段５の羽根車３に対する位置を変更させ、羽根車３から出る風を風向変更手段５が受ける量を調整することで、水平方向へ出る風と下方向へ出る風の風量比を変更できる。
【００３５】
なお、支持部７をスタンド２に沿って最上部に移動した状態で、羽根車３の下端部と、支持部７下端部との距離が、子供の指より長いので、支持部７間の空間の大きさは、子供の指は入るが、手が入らない大きさであればよい。すなわち、支持部７間の空間の大きさは、ガード部４の金網の目の大きさより大きいものである。これにより、風路抵抗を低減できるものである。
【００３６】
また、図４に示すように、支持部７をスタンド２に沿って最上部に移動した状態で、羽根車３の下端部は、膨張部１６の中央部の最大水平断面積の高さに位置するものである。ここで、羽根車３の下端周縁部から、風向変更手段５内面までの垂直下方向への距離は、羽根車３の下端周縁部から、風向変更手段５の膨張部１６内面までの水平方向への距離より大きいものである。これにより、風向変更手段５内での乱流の発生を抑制できる。
【００３７】
また、図１に示すように、スタンドの下部には風向ガイド１０を備えている。風向ガイド１０は、ラッパを下に向けたような略円錐形をしており、高さと幅が約１：２の大きさとし、３６０度にわたって設けられる。
【００３８】
このような構成にすれば、風向変更手段５によって下方向へ向きを変えられた風が風向ガイド１０の曲線に沿って再度風向きを変えられるので、ファンの位置より下の位置でも、扇風機から水平方向へ吹き出す風を出すことができる。
【００３９】
なお、実施の形態において、風向ガイド１０をスタンドの下部に設けたが、スタンドの中ほどに設けても良い。この場合、下方向へ送風される風は、床面まで到達する前に、羽根車３の位置より下、足元よりも上の位置で吹き出すこととなる。
【００４０】
また、スタンド自体が、風向ガイド１０を兼ねてもよい。これにより、電動機によって羽根車３が回転すると、羽根車３の上方からガード部４を介して、空気が羽根車３に吸い込まれ、この吸い込まれた空気が、羽根車３によって、水平方向へ送風される。この水平方向へ送風される空気の一部は、風向変更手段５にあたり、下方向へ向く風に分かれ、風向変更手段５と風向ガイド１０であるスタンド２との間を介して、下方向へ送風されることにより、同時に広範囲へ送風することができる。
【００４１】
なお、図５に示すように風向変更手段５の上端が羽根車３の下端と同じかそれより低い位置に来た場合には、羽根車から出る風はすべて羽根車の位置で３６０度水平方向に送風されるものとする。また、移動固定手段が下方へ下がり過ぎてガード部４が羽根車３に接触したり、逆に移動固定手段が上方へ上がりすぎて風向変更手段が羽根車に接触したりすることを防ぐために、スタンド２には風向ガイド１０と移動固定部８との間と、支持部７と電動機（図示せず）の間にストッパー１１を設ける。ストッパー１１は、スタンドの水平方向に一周設けられたリブとする。
【産業上の利用可能性】
【００４２】
本発明にかかる扇風機は、３次元的に異なる２方向への送風を可能とするものであるので、家庭や工場や事務所において送風を必要とする際に使用されるリビング扇、卓上扇、スタンド扇、食卓テーブルと一体型になった扇風機等として有用である。
【符号の説明】
【００４３】
１    扇風機
２    スタンド
３    羽根車
４    ガード部
５    風向変更手段
６    操作部
７    支持部
８    移動固定部
９    溝
１０    風向ガイド
１１    ストッパー
１２    スリット
１３    主板
１４    翼部
１５    リング部
１６    膨張部
１７    絞り部
１８    ストレート部
１９    上端開口
２０    下端開口
１０１  扇風機
１０２  ファン
１０３  扇風機
１０４  枠
１０５  電動式ガイドレール
１０６  プロペラ軸
【図１】
2013127216.tif 000003
【図２】
2013127216.tif 000004
【図３】
2013127216.tif 000005
【図４】
2013127216.tif 000006
【図５】
2013127216.tif 000007
【図６】
2013127216.tif 000008
【図７】
2013127216.tif 000009